(57)【要約】  本発明に係る空気調和機の室内機は、受光窓が形成されている外郭部と、前記外郭部の内面側に取り付けられた表示部と、前記表示部に取り付けられ、前記受光窓を覆う閉塞部材と、を備え、前記閉塞部材は、第１端部と、該第１端部とは反対側の端部である第２端部と、前記第１端部に設けられた、第１引っ掛け部及び該第１引っ掛け部が引っ掛けられる第１引っ掛かり部のうちの一方と、前記第２端部に設けられた、第１爪部及び該第１爪部が引っ掛けられる第１爪掛かり部のうちの一方と、を有し、前記表示部は、前記第１引っ掛け部及び前記第１引っ掛かり部のうちの他方と、前記第１爪部及び前記第１爪掛かり部のうちの他方と、を有する。
2019082349.tif 000002
【特許請求の範囲】
【請求項１】
受光窓が形成されている外郭部と、
前記外郭部の内面側に取り付けられた表示部と、
前記表示部に取り付けられ、前記受光窓を覆う閉塞部材と、
を備え、
前記閉塞部材は、
第１端部と、
該第１端部とは反対側の端部である第２端部と、
前記第１端部に設けられた、第１引っ掛け部及び該第１引っ掛け部が引っ掛けられる第１引っ掛かり部のうちの一方と、
前記第２端部に設けられた、第１爪部及び該第１爪部が引っ掛けられる第１爪掛かり部のうちの一方と、
を有し、
前記表示部は、
前記第１引っ掛け部及び前記第１引っ掛かり部のうちの他方と、
前記第１爪部及び前記第１爪掛かり部のうちの他方と、
を有する空気調和機の室内機。
【請求項２】
前記外郭部は、
前記受光窓の第１辺の側方に設けられた、第２引っ掛け部及び該第２引っ掛け部が引っ掛けられる第２引っ掛かり部のうちの一方と、
前記受光窓における前記第１辺とは反対側の辺である第２辺の側方に設けられた、第２爪部及び該第２爪部が引っ掛けられる第２爪掛かり部のうちの一方と、
を備え、
前記表示部は、
第３端部と、
該第３端部とは反対側の端部である第４端部と、
該第３端部に設けられた、前記第２引っ掛け部及び前記第２引っ掛かり部のうちの他方と、
前記第３端部と前記第４端部との間となる位置に設けられた、前記第２爪部及び前記第２爪掛かり部のうちの他方と、
を有する請求項１に記載の空気調和機の室内機。
【請求項３】
前記第２引っ掛け部及び前記第２引っ掛かり部のうち、前記外郭部に設けられた方の構成は、前記外郭部の角部に設けられ、
前記第２引っ掛け部、及び前記第２引っ掛かり部における前記第２引っ掛け部が挿入される部分は、前記外郭部の角部に沿ったＬ字形状となっている請求項２に記載の空気調和機の室内機。
【請求項４】
前記表示部と前記閉塞部材とは、異なる種類の材料で形成されている請求項１〜請求項３のいずれか一項に記載の空気調和機の室内機。
【請求項５】
前記閉塞部材は、前記受光窓に挿入された凸部を有する請求項１〜請求項４のいずれか一項に記載の空気調和機の室内機。
【請求項６】
前記凸部の外面と前記外郭部の外面とが同一面上に配置されている請求項５に記載の空気調和機の室内機。
【請求項７】
前記閉塞部材は、前記外郭部と前記表示部との間に挟持されている請求項５又は請求項６に記載の空気調和機の室内機。
【請求項８】
請求項１〜請求項７のいずれか一項に記載の空気調和機の室内機と、
室外機と、
を備えた空気調和機。
【発明の詳細な説明】
【技術分野】
【０００１】
本発明は、リモートコントローラーから出力された赤外線信号が通過する受光窓が外郭部に形成された空気調和機の室内機、及び該室内機を備えた空気調和機に関するものである。
【背景技術】
【０００２】
従来の空気調和機の室内機には、外郭部に開口部が形成され、該開口部を表示部に取り付けられた閉塞部材で覆う構成が提案されている（例えば特許文献１参照）。特許文献１に記載の空気調和機の室内機は、ＬＥＤ素子を備えた表示部の前側に、表示板が取り付けられている。この表示板には、文字及び数字等が印刷した意匠層が設けられている。また、特許文献１に記載の空気調和機の室内機の外郭部は、前面部に開口部が形成されている。そして、前側に表示板が取り付けられた表示部は、外郭部の内面側に取り付けられる。表示部が外郭部の内面側に取り付けられた際、外郭部の開口部は、表示部の前側に取り付けられた表示板によって覆われる。すなわち、特許文献１に記載の空気調和機の室内機は、意匠層の文字及び数字等がＬＥＤ素子で照らされると、ＬＥＤ素子から発せられる光が文字及び数字等の部分を通過し、文字及び数字等が光る構成となっている。そして、光った文字及び数字等は、外郭部の開口部から視認可能となっている。【０００３】
上述のように構成された特許文献１に記載の空気調和機の室内機においては、表示板は、次のように表示部に取り付けられている。詳しくは、表示部の前面部を構成する表示パネルには、ＬＥＤ素子の光を通す四角形状の開口部である光透過窓が形成されている。また、表示板の裏面には、光透過窓の縁部に引っ掛けるＵ字状の突起が形成されている。さらに、表示板の裏面には、複数の爪部が形成されている。また、表示パネルには、表示板の爪部と対応する位置に、複数の爪部が引っ掛けられる複数の突起が形成されている。すなわち、表示板のＵ字状の突起を表示パネルの光透過窓の縁部に引っ掛け、表示板の複数の爪部を表示パネルの複数の突起に引っ掛けることにより、表示板は、表示パネルに取り付けられている。
【先行技術文献】
【特許文献】
【０００４】
【特許文献１】特開２０１２−１４９８１６号公報
【発明の概要】
【発明が解決しようとする課題】
【０００５】
上述のように、特許文献１に記載の空気調和機の室内機の表示板においては、該表示板を表示パネルに取り付けるためのＵ字状の突起及び複数の爪部が、該表示板の裏面に設けられていた。すなわち、特許文献１に記載の空気調和機の室内機の表示板は、該表示板を裏側から見た際、Ｕ字状の突起及び複数の爪部の外周側にフランジ部が形成された形状となっていた。このため、特許文献１に記載の空気調和機の室内機においては、フランジ部によって表示板のＵ字状の突起及び表示パネルの光透過窓の縁部が隠れてしまい、Ｕ字状の突起を表示パネルの光透過窓の縁部に引っ掛けるのが難しい。同様に、特許文献１に記載の空気調和機の室内機においては、フランジ部によって表示板の複数の爪部及び表示パネルの複数の突起が隠れてしまい、複数の爪部を複数の突起に引っ掛けるのが難しい。すなわち、特許文献１に記載の空気調和機の室内機は、表示パネルへの表示板の取付作業性が悪いという課題があった。【０００６】
本発明は、上述の課題を解決するためになされたものであり、外郭部に開口部が形成され、該開口部が表示部に取り付けられた閉塞部材で覆われる空気調和機の室内機において、表示部への閉塞部材の取付作業性を従来よりも向上させることができる室内機を得ることを第１の目的とする。また、本発明は、このような室内機を備えた空気調和機を得ることを第２の目的とする。
【課題を解決するための手段】
【０００７】
本発明に係る空気調和機の室内機は、受光窓が形成されている外郭部と、前記外郭部の内面側に取り付けられた表示部と、前記表示部に取り付けられ、前記受光窓を覆う閉塞部材と、を備え、前記閉塞部材は、第１端部と、該第１端部とは反対側の端部である第２端部と、前記第１端部に設けられた、第１引っ掛け部及び該第１引っ掛け部が引っ掛けられる第１引っ掛かり部のうちの一方と、前記第２端部に設けられた、第１爪部及び該第１爪部が引っ掛けられる第１爪掛かり部のうちの一方と、を有し、前記表示部は、前記第１引っ掛け部及び前記第１引っ掛かり部のうちの他方と、前記第１爪部及び前記第１爪掛かり部のうちの他方と、を有する。【０００８】
また、本発明に係る空気調和機は、本発明に係る空気調和機の室内機と、室外機と、を備えている。
【発明の効果】
【０００９】
本発明に係る空気調和機の室内機においては、第１引っ掛け部を第１引っ掛かり部へ引っ掛ける際、第１引っ掛け部及び第１引っ掛かり部を視認することができる。また、本発明に係る空気調和機の室内機においては、第１爪部を第１爪掛かり部へ引っ掛ける際、第１爪部及び第１爪掛かり部を視認することができる。このため、本発明に係る空気調和機の室内機は、表示部への閉塞部材の取付作業性を従来よりも向上させることができる。
【図面の簡単な説明】
【００１０】
【図１】本発明の実施の形態１に係る空気調和機の室内機を正面側から見た斜視図である。
【図２】本発明の実施の形態１に係る空気調和機の室内機の受光窓近傍を該室内機の内部側から観察した分解斜視図である。
【図３】本発明の実施の形態１に係る表示部及び閉塞部材の分解斜視図である。
【図４】本発明の実施の形態１に係る表示部及び閉塞部材の断面図である。
【図５】本発明の実施の形態１に係るパネル及び表示部の分解斜視図である。
【図６】本発明の実施の形態１に係るパネル及び表示部の断面図である。
【図７】本発明の実施の形態１に係る表示部の引っ掛け部近傍を示す断面図である。
【図８】本発明の実施の形態１に係る表示部の爪掛かり部近傍を示す断面図である。
【図９】本発明の実施の形態２に係る空気調和機の一例を示す冷媒回路図である。
【発明を実施するための形態】
【００１１】
実施の形態１．
以下、本発明に係る空気調和機の室内機の一例について、図面等を参照しながら説明する。なお、以下の各図面において、同一の符号を付した構成は、同一又はこれに相当する構成である。なお、本実施の形態１で記載されている各構成の形態は、あくまでも例示である。本発明に係る空気調和機の室内機は、本実施の形態１で記載されている各構成に限定されるものではない。また、以下の各図面では、各構成部材の大きさの関係が実物とは異なる場合がある。
【００１２】
図１は、本発明の実施の形態１に係る空気調和機の室内機を正面側から見た斜視図である。なお、図１は、空調対象空間に設置された本実施の形態１に係る室内機１を、斜め上方から観察した図となっている。また、図２は、本発明の実施の形態１に係る空気調和機の室内機の受光窓近傍を該室内機の内部側から観察した分解斜視図である。ここで、図１，２及び後述する各図の観察方向の理解を容易とするため、Ｘ軸、Ｙ軸及びＺ軸を次のように定義する。図１に示すように、室内機１の上下方向をＺ軸とする。詳しくは、下側から上側へ向かう方向が、Ｚ軸のプラス方向となっている。また、図１に示すように、室内機１を正面側から見た状態において、横方向をＸ軸とする。詳しくは、室内機１を正面側から見た状態において、左側から右側へ向かう方向が、Ｘ軸のプラス方向となっている。また、図１に示すように、室内機１の前後方向をＹ軸とする。詳しくは、室内機１の背面側から室内機１の正面側へ向かう方向が、Ｙ軸のプラス方向となっている。
【００１３】
室内機１は、略直方体の外郭部１０を備えている。この外郭部１０には、受光窓１５が形成されている。受光窓１５は、リモートコントローラーから出力された赤外線信号が通過する箇所であり、例えば略四角形状の開口部である。なお、本実施の形態１では、受光窓１５は、外郭部１０の前面部と下面部とを接続する角部１６に形成されている。このため、受光窓１５の一部が外郭部１０の前面部に開口し、受光窓１５の残りの一部が外郭部１０の下面部に開口している。なお、受光窓１５の形成位置は、任意である。例えば、外郭部１０の前面部のみに受光窓１５を形成してもよい。
【００１４】
また、本実施の形態１に係る室内機１の外郭部１０は、ボックス１１、パネル１２、前面パネル１３、及びベーン１４で構成されている。ボックス１１は、外郭部１０の背面部を構成するものである。パネル１２は、外郭部１０の前面部の一部、上面部、下面部、左側面部及び右側面部を構成するものである。このパネル１２には、受光窓１５が形成されている。前面パネル１３は、外郭部１０の前面部の一部を構成するものである。ベーン１４は、室内機１が動作していない状態において、吸込口を覆うものである。このベーン１４は、上下方向に揺動自在となっている。そして、室内機１が動作している際、吸込口を開き、該吸込口から吹き出される空気の上下方向の向きを調節する。なお、外郭部１０を形成している上述の各構成は、あくまでも一例である。
【００１５】
パネル１２に形成された受光窓１５は、閉塞部材３０で覆われている。閉塞部材３０は、リモートコントローラーから出力された赤外線信号が通過可能な材料で形成されている。具体的には、閉塞部材３０は、次のように、パネル１２に取り付けられ、受光窓１５を覆っている。室内機１は、表示部２０を備えている。表示部２０には、後述する図３に示すように、室内機１の運転状態等によって点灯又は消灯するＬＥＤ素子の光を透過する凸部２８が設けられている。閉塞部材３０は、この表示部２０に取り付けられている。また、表示部２０は、閉塞部材３０が受光窓１５を覆うように、パネル１２の内面側に取り付けられる。
【００１６】
なお、表示部２０がパネル１２に取り付けられた状態においては、閉塞部材３０の外周部は、表示部２０とパネル１２の内周面との間に挟持された状態となる。また、表示部２０には、リモートコントローラーから出力された赤外線信号が該表示部２０を通過できるように、受光窓１５と対向する箇所に、例えば略四角形状の開口部２７が形成されている。また、表示部２０がパネル１２に取り付けられた状態においては、表示部２０の凸部２８は、パネル１２の貫通孔１９と対向する位置に配置される。これにより、ＬＥＤ素子の点灯状態が、室内機１の外部から視認可能となる。
【００１７】
続いて、閉塞部材３０と表示部２０との詳細な取付構成について説明する。
【００１８】
図３は、本発明の実施の形態１に係る表示部及び閉塞部材の分解斜視図である。また、図４は、本発明の実施の形態１に係る表示部及び閉塞部材の断面図である。なお、図３は、Ｙ軸マイナス方向に、閉塞部材３０が表示部２０に取り付けられる前の表示部２０及び閉塞部材３０を観察した図である。また、図４は、閉塞部材３０を表示部２０に取り付ける途中段階の表示部２０及び閉塞部材３０を、Ｙ軸及びＺ軸と平行な断面で切断し、Ｘ軸マイナス方向に観察した図である。
【００１９】
閉塞部材３０は、例えば略四角形状の板状部材である。上述のように、受光窓１５は、パネル１２の角部１６に形成されている。このため、受光窓１５を覆う閉塞部材３０は、パネル１２の角部１６の形状に対応して、断面略Ｌ字形状に形成されている。この閉塞部材３０は、下端部である端部３１と、端部３１とは反対側の端部である端部３２と、を備えている。すなわち、端部３２は、上端部である。端部３１には、該端部３１から外周側へ突出するように、引っ掛け部３３が設けられている。また、端部３２には、該端部３２から外周側へ突出するように、爪部３４が設けられている。爪部３４の先端には、後述の爪掛かり部２４に引っ掛かる鉤部が形成されている。
【００２０】
表示部２０は、例えば略四角形状の板状部材である。表示部２０は、パネル１２の角部に沿って設けられる。このため、表示部２０の板状部材は、断面略Ｌ字形状に形成されている。この表示部２０には、閉塞部材３０の引っ掛け部３３が引っ掛けられる引っ掛かり部２３が形成されている。本実施の形態１では、引っ掛かり部２３は、貫通孔となっている。また、表示部２０には、閉塞部材３０の爪部３４が引っ掛けられる爪掛かり部２４が形成されている。本実施の形態１では、爪掛かり部２４は、貫通孔となっている。閉塞部材３０の引っ掛け部３３を表示部２０の前方から該表示部２０の引っ掛かり部２３に引っ掛け、閉塞部材３０の爪部３４を表示部２０の前方から該表示部２０の爪掛かり部２４に引っ掛けることにより、閉塞部材３０は表示部２０に取り付けられる。
【００２１】
ここで、閉塞部材３０の端部３１が、本発明の第１端部に相当する。閉塞部材３０の端部３２が、本発明の第２端部に相当する。閉塞部材３０の引っ掛け部３３が、本発明の第１引っ掛け部に相当する。閉塞部材３０の爪部３４が、本発明の第１爪部に相当する。表示部２０の引っ掛かり部２３が、本発明の第１引っ掛かり部に相当する。表示部２０の爪掛かり部２４が、本発明の第１爪掛かり部に相当する。
【００２２】
なお、閉塞部材３０の端部３１に引っ掛かり部２３を設け、表示部２０に引っ掛け部３３を設けてもよい。すなわち、閉塞部材３０の端部３１に、引っ掛け部３３及び引っ掛かり部２３のうちの一方を設ければよい。また、表示部２０に、引っ掛け部３３及び引っ掛かり部２３のうちの他方を設ければよい。同様に、閉塞部材３０の端部３２に爪掛かり部２４を設け、表示部２０に爪部３４を設けてもよい。すなわち、閉塞部材３０の端部３２に、爪部３４及び爪掛かり部２４のうちの一方を設ければよい。また、表示部２０に、爪部３４及び爪掛かり部２４のうちの他方を設ければよい。また、閉塞部材３０における端部３１以外の端部に、引っ掛け部３３及び引っ掛かり部２３のうちの一方を設けてもよい。そして、閉塞部材３０における当該端部とは反対側の端部に、爪部３４及び爪掛かり部２４のうちの一方を設けてもよい。この場合、引っ掛け部３３及び引っ掛かり部２３のうちの一方が設けられている端部が、本発明の第１端部に相当することとなる。また、爪部３４及び爪掛かり部２４のうちの一方が設けられている端部が、本発明の第２端部に相当することとなる。
【００２３】
このように閉塞部材３０及び表示部２０を構成することにより、引っ掛け部３３を引っ掛かり部２３へ引っ掛ける際、引っ掛け部３３及び引っ掛かり部２３を視認することができる。また、爪部３４を爪掛かり部２４へ引っ掛ける際、爪部３４及び爪掛かり部２４を視認することができる。このため、このように閉塞部材３０及び表示部２０を構成することにより、特許文献１に係る室内機において表示板を表示パネルに取り付ける場合と比べ、表示部２０への閉塞部材３０の取付作業性を向上させることができる。
【００２４】
続いて、パネル１２と表示部２０との詳細な取付構成について説明する。
【００２５】
図５は、本発明の実施の形態１に係るパネル及び表示部の分解斜視図である。図６は、本発明の実施の形態１に係るパネル及び表示部の断面図である。図７は、本発明の実施の形態１に係る表示部の引っ掛け部近傍を示す断面図である。また、図８は、本発明の実施の形態１に係る表示部の爪掛かり部近傍を示す断面図である。なお、図５は、パネル１２の内部側からＹ軸プラス方向に、表示部２０がパネル１２に取り付けられる前のパネル１２及び表示部２０を観察した図である。図６は、表示部２０をパネル１２に取り付ける途中段階のパネル１２及び表示部２０を、Ｙ軸及びＸ軸と平行な断面で切断し、Ｚ軸マイナス方向に観察した図である。図７は、表示部２０をパネル１２に取り付けた状態における引っ掛け部２５近傍を、Ｙ軸及びＺ軸と平行な断面で切断し、Ｘ軸プラス方向に観察した図である。図８は、表示部２０をパネル１２に取り付けた状態における爪掛かり部２６近傍を、Ｙ軸及びＺ軸と平行な断面で切断し、Ｘ軸プラス方向に観察した図である。
【００２６】
パネル１２は、受光窓１５の側縁部の１つである第１辺１５ａの側方に、後述の引っ掛け部２５が引っ掛けられる引っ掛かり部１７が設けられている。本実施の形態１では、パネル１２の内面から規定距離離れた位置に該内面と平行に設けられた板部１７ａと、板部１７ａとパネル１２の内面とを接続する２つの脚部１７ｂとで、引っ掛かり部１７が構成されている。また、パネル１２は、受光窓１５における第１辺１５ａとは反対側の辺である第２辺１５ｂの側方に、該パネル１２の内面から突出するように、爪部１８が設けられている。爪部１８の先端には、後述の爪掛かり部２６に引っ掛かる鉤部が形成されている。
【００２７】
表示部２０は、端部２１と、該端部２１とは反対側の端部である端部２２とを備えている。端部２１には、該端部２１から外周側へ突出するように、パネル１２の引っ掛かり部１７に引っ掛ける引っ掛け部２５が設けられている。また、表示部２０には、端部２１と端部２２との間となる位置に、パネル１２の爪部１８が引っ掛けられる爪掛かり部２６が形成されている。本実施の形態１では、爪掛かり部２６は、貫通孔となっている。表示部２０の引っ掛け部２５をパネル１２の引っ掛かり部１７に引っ掛け、表示部２０の爪掛かり部２６にパネル１２の爪部１８を引っ掛けることにより、表示部２０は、パネル１２の内面に沿うように、パネル１２の内面側に取り付けられる。
【００２８】
ここで、表示部２０の端部２１が、本発明の第３端部に相当する。表示部２０の端部２２が、本発明の第４端部に相当する。表示部２０の引っ掛け部２５が、本発明の第２引っ掛け部に相当する。表示部２０の爪掛かり部２６が、本発明の第２爪掛かり部に相当する。パネル１２の引っ掛かり部１７が、本発明の第２引っ掛かり部に相当する。パネル１２の爪部１８が、本発明の第２爪部に相当する。
【００２９】
なお、表示部２０の端部２１に引っ掛かり部１７を設け、パネル１２に引っ掛け部２５を設けてもよい。すなわち、表示部２０の端部２１に、引っ掛け部２５及び引っ掛かり部１７のうちの一方を設ければよい。また、パネル１２に、引っ掛け部２５及び引っ掛かり部１７のうちの他方を設ければよい。同様に、表示部２０における端部２１と端部２２との間となる位置に爪部１８を設け、パネル１２に爪掛かり部２６を設けてもよい。すなわち、表示部２０における端部２１と端部２２との間となる位置に、爪掛かり部２６及び爪部１８のうちの一方を設ければよい。また、パネル１２に、爪掛かり部２６及び爪部１８のうちの他方を設ければよい。
【００３０】
また、表示部２０における端部２１以外の端部に、引っ掛け部２５及び引っ掛かり部１７のうちの一方を設けてもよい。そして、表示部２０において、当該端部と、当該端部とは反対側の端部との間となる位置に、爪掛かり部２６及び爪部１８のうちの一方を設けてもよい。この場合、引っ掛け部２５及び引っ掛かり部１７のうちの一方が設けられている端部が、本発明の第３端部に相当することとなる。また、当該端部とは反対側の端部が、本発明の第４端部に相当することとなる。この際、引っ掛け部２５及び引っ掛かり部１７のうちの他方は、パネル１２の内面において、受光窓１５の上辺及び下辺のうちの一方の側方に設けられる場合がある。また、爪掛かり部２６及び爪部１８のうちの他方は、パネル１２の内面において、受光窓１５の上辺及び下辺のうちの他方の側方に設けられる場合がある。この場合、上辺及び下辺のうち、側方に引っ掛け部２５及び引っ掛かり部１７のうちの他方が設けられる側の辺が、本発明の第１辺に相当することとなる。また、上辺及び下辺のうち、側方に爪掛かり部２６及び爪部１８のうちの他方が設けられる側の辺が、本発明の第２辺に相当することとなる。
【００３１】
一般的に、表示部２０は、両端部でパネル１２と接続されて固定される。一方、本実施の形態１の位置で表示部２０をパネル１２に接続して固定することにより、表示部２０におけるパネル１２との接続箇所間の距離を小さくすることができる。このため、本実施の形態１の位置で表示部２０をパネル１２に接続して固定することにより、閉塞部材３０が外部から押された場合に、表示部２０がたわみにくいという効果が得られる。
【００３２】
なお、閉塞部材３０には、受光窓１５と略同型状の凸部３５が形成されている。そして、凸部３５の高さは、パネル１２の厚みと略同じになっている。そして、表示部２０がパネル１２に取り付けられた際、図６に示すように、表示部２０に取り付けられている閉塞部材３０の凸部３５は、パネル１２の受光窓１５に挿入される。そして、図１に示すように、パネル１２の外面１２ａと、凸部３５の外面３５ａとが、同一面上に配置されることとなる。このように、閉塞部材３０の凸部３５がパネル１２の受光窓１５に挿入されることにより、閉塞部材３０がガタつくことを抑制できる。また、パネル１２の外面１２ａと凸部３５の外面３５ａとが同一面上に配置されることにより、室内機１の意匠性を向上させることができる。
【００３３】
また、上述のように、閉塞部材３０は、表示部２０とパネル１２との間に挟持されている。すなわち、閉塞部材３０は、表示部２０の前面側に配置されている。このため、閉塞部材３０に凸部３５が形成されている場合、表示部２０及び閉塞部材３０をパネル１２に取り付ける作業が容易になるという効果も得られる。詳しくは、閉塞部材３０が表示部２０の背面側に配置されている場合、閉塞部材３０の凸部３５を挿入する開口部を表示部２０に形成する必要がある。そして、受光窓１５に対して傾きなく凸部３５を挿入するためには、表示部２０の開口部と閉塞部材３０の凸部３５との位置合わせを行い、更に、凸部３５と受光窓１５との位置合わせを行う必要がある。このため、表示部２０及び閉塞部材３０をパネル１２に取り付ける作業が煩雑となる。一方、閉塞部材３０が表示部２０の前面側に配置されている場合、受光窓１５に対して傾きなく凸部３５を挿入する際、凸部３５と受光窓１５との位置合わせのみを行えばよい。したがって、閉塞部材３０が表示部２０とパネル１２との間に挟持された構成にすることにより、表示部２０及び閉塞部材３０をパネル１２に取り付ける作業が容易になる。
【００３４】
ここで、本実施の形態１に係る室内機１においては、表示部２０は、パネル１２の角部１６に設けられている。このような場合、引っ掛かり部１７及び引っ掛け部２５を次のように構成するとよい。具体的には、図７に示すように、引っ掛かり部１７を角部１６に設けるとよい。そして、引っ掛かり部１７における引っ掛け部２５が挿入される部分の形状を、角部１６の形状に沿って略Ｌ字形状とすればよい。また、引っ掛け部２５も、略Ｌ字形状とすればよい。このように引っ掛かり部１７及び引っ掛け部２５を構成することにより、１つの引っ掛かり部１７及び１つの引っ掛け部２５によって、表示部２０がＹ軸方向及びＺ軸方向にずれることを抑制できる。
【００３５】
また、表示部２０がパネル１２の角部１６に設けられている場合、爪部１８を次の位置に配置するとよい。具体的には、表示部２０がパネル１２の角部１６に設けられている場合、受光窓１５の第２辺１５ｂは、パネル１２の前面部に配置された辺１５ｃと、パネル１２の下面部に配置された辺１５ｄとで構成される。この場合、爪部１８は、辺１５ｃ及び辺１５ｄのうち、長い方の辺の側方に配置されるとよい。図５に示すように、本実施の形態１では、辺１５ｃが辺１５ｄよりも長くなっている。このため、本実施の形態１では、爪部１８は、辺１５ｃの側方に配置されている。このような位置に爪部１８を配置することにより、辺１５ｄの側方に爪部１８を配置した場合と比べ、爪部１８の第２辺１５ｂ方向の長さを長くすることができる。このため、１つの爪部１８で、表示部２０がＹ軸方向及びＺ軸方向にずれることをより抑制できる。また、１つの爪部１８によって、閉塞部材３０が外部から押された場合に表示部２０がたわむことを、より抑制することができる。
【００３６】
続いて、閉塞部材３０による受光窓１５の閉塞手順について説明する。
まず、閉塞部材３０の引っ掛け部３３を表示部２０の前方から該表示部２０の引っ掛かり部２３に引っ掛け、閉塞部材３０の爪部３４を表示部２０の前方から該表示部２０の爪掛かり部２４に引っ掛けることにより、閉塞部材３０を表示部２０に取り付ける。そして、表示部２０の引っ掛け部２５をパネル１２の引っ掛かり部１７に引っ掛け、表示部２０の爪掛かり部２６にパネル１２の爪部１８を引っ掛けることにより、表示部２０をパネル１２の内面側に取り付ける。これにより、表示部２０に取り付けられた閉塞部材３０によって、パネル１２の受光窓１５が覆われる。
なお、上記と逆の手順により、パネル１２から閉塞部材３０を取り外すことができる。
【００３７】
以上、本実施の形態１に係る空気調和機の室内機１は、受光窓１５が形成されている外郭部１０と、外郭部１０の内面側に取り付けられた表示部２０と、表示部２０に取り付けられ、受光窓１５を覆う閉塞部材３０と、を備えている。閉塞部材３０は、端部３１と、該端部３１とは反対側の端部である端部３２と、を有している。また、閉塞部材３０は、端部３１に設けられた、引っ掛け部３３及び該引っ掛け部３３が引っ掛けられる引っ掛かり部２３のうちの一方を有している。また、閉塞部材３０は、端部３２に設けられた、爪部３４及び該爪部３４が引っ掛けられる爪掛かり部２４のうちの一方を有している。また、表示部２０は、引っ掛け部３３及び引っ掛かり部２３のうちの他方と、爪部３４及び爪掛かり部２４のうちの他方と、を有している。
【００３８】
このため、本実施の形態１に係る空気調和機の室内機１は、引っ掛け部３３を引っ掛かり部２３へ引っ掛ける際、引っ掛け部３３及び引っ掛かり部２３を視認することができる。また、本実施の形態１に係る空気調和機の室内機１は、爪部３４を爪掛かり部２４へ引っ掛ける際、爪部３４及び爪掛かり部２４を視認することができる。このため、本実施の形態１に係る空気調和機の室内機１は、特許文献１に記載の室内機において表示板を表示パネルに取り付ける場合と比べ、表示部２０への閉塞部材３０の取付作業性を向上させることができる。
【００３９】
また、本実施の形態１に係る室内機１においては、閉塞部材３０と表示部２０との接続箇所の数を、特許文献１に記載の室内機において表示板を表示パネルに取り付ける場合と比べ、少なくすることができる。この点においても、本実施の形態１に係る空気調和機の室内機１は、特許文献１に記載の室内機において表示板を表示パネルに取り付ける場合と比べ、表示部２０への閉塞部材３０の取付作業性を向上させることができる。
【００４０】
また、本実施の形態１に係る室内機１のように閉塞部材３０を構成することにより、特許文献１記載の表示板と異なり、閉塞部材３０の裏面に表示部２０との接続に用いられる構成を設ける必要がない。このため、本実施の形態１に係る室内機１のように閉塞部材３０を構成することにより、特許文献１記載の表示板を製造する場合と比べ、閉塞部材３０を製造する際の成形金型が複雑になることを抑制できる。
【００４１】
なお、閉塞部材３０と表示部２０とを、異なる種類の材料で形成してもよい。これにより、閉塞部材３０及び表示部２０を、それぞれに求められる特性に好適な材料で製造することができる。例えば、リモートコントローラーから出力された赤外線信号が通過しやすい材料で、閉塞部材３０を形成してもよい。また例えば、耐衝撃性に優れた材料で、閉塞部材３０を形成してもよい。耐衝撃性に優れた材料で閉塞部材３０を形成することにより、表示部２０に充電部を設けた場合に、該充電部を覆うカバーとしても閉塞部材３０を用いることができ、電気用品安全法に対応することができる。
【００４２】
実施の形態２．
本実施の形態２では、実施の形態１に係る室内機１を備えた空気調和機の一例について説明する。なお、本実施の形態２において、特に記述しない項目については実施の形態１と同様とし、実施の形態１と同一の機能及び構成については同一の符号を用いて述べることとする。
【００４３】
図９は、本発明の実施の形態２に係る空気調和機の一例を示す冷媒回路図である。なお、図９に示す実線の矢印は、冷房運転時の冷媒の流れ方向を示している。また、図９に示す破線の矢印は、暖房運転時の冷媒の流れを示している。
本実施の形態２に係る空気調和機３は、実施の形態１で示した室内機１と、室外機２とを備えている。室内機１と室外機２とは、ガス冷媒配管３００及び液冷媒配管４００により配管接続されている。室内機１は、室内熱交換器１１０を有している。室外機２は、圧縮機２１０、四方弁２２０、室外熱交換器２３０及び膨張弁２４０を有している。
【００４４】
圧縮機２１０は、吸入した冷媒を圧縮して吐出する。ここで、特に限定するものではないが、圧縮機２１０は、例えばインバータ回路等によって運転周波数を任意に変化させることにより、圧縮機２１０の容量を変化させることができるようにしてもよい。なお、圧縮機２１０の容量とは、単位時間あたりの冷媒を送り出す量を表すものである。四方弁２２０は、例えば冷房運転時と暖房運転時とによって冷媒の流れを切り換える弁である。
【００４５】
室外熱交換器２３０は、冷媒と室外空気との熱交換を行う。室外熱交換器２３０は、暖房運転時においては蒸発器として機能し、冷媒を蒸発させて気化させる。また、室外熱交換器２３０は、冷房運転時においては凝縮器として機能し、冷媒を凝縮して液化させる。
【００４６】
膨張弁２４０は、例えば絞り装置等であり、冷媒を減圧して膨張させる。例えば、電子式膨張弁等で膨張弁２４０を構成した場合には、膨張弁２４０は、図示せぬ制御装置等の指示に基づいて開度調整が行われる。室内熱交換器１１０は、空調対象空間の空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させて気化させる。
【００４７】
以上のように空気調和機３を構成することで、室外機２の四方弁２２０により冷媒の流れを切り換えることで、暖房運転及び冷房運転を実現することができる。
【符号の説明】
【００４８】
１  室内機、２  室外機、３  空気調和機、１０  外郭部、１１  ボックス、１２  パネル、１２ａ  外面、１３  前面パネル、１４  ベーン、１５  受光窓、１５ａ  第１辺、１５ｂ  第２辺、１５ｃ  辺、１５ｄ  辺、１６  角部、１７  引っ掛かり部、１７ａ  板部、１７ｂ  脚部、１８  爪部、１９  貫通孔、２０  表示部、２１  端部、２２  端部、２３  引っ掛かり部、２４  爪掛かり部、２５  引っ掛け部、２６  爪掛かり部、２７  開口部、２８  凸部、３０  閉塞部材、３１  端部、３２  端部、３３  引っ掛け部、３４  爪部、３５  凸部、３５ａ  外面、１１０  室内熱交換器、２１０  圧縮機、２２０  四方弁、２３０  室外熱交換器、２４０  膨張弁、３００  ガス冷媒配管、４００  液冷媒配管。
【図１】
2019082349.tif 000003
【図２】
2019082349.tif 000004
【図３】
2019082349.tif 000005
【図４】
2019082349.tif 000006
【図５】
2019082349.tif 000007
【図６】
2019082349.tif 000008
【図７】
2019082349.tif 000009
【図８】
2019082349.tif 000010
【図９】
2019082349.tif 000011
【国際調査報告】
2019082349.tif 000012
2019082349.tif 000013
2019082349.tif 000014